(57)【要約】【課題】配線収容什器と他の什器を設置するためのスペースが広くなることを抑制できるとともに、配線収容什器の小型化および製作コストの削減を図ることができ、意匠性も向上させることができる配線収容什器を提供する。【解決手段】略水平方向に延在し、内部に配線ケーブルを収容する収容部材１０と、収容部材１０の両端部をそれぞれ支持する左端部部材２０及び右端部部材３０と、を備える。左端部部材２０及び右端部部材３０における収容部材１０と接続される面の幅は、収容部材１０における左端部部材２０及び右端部部材３０と接続される面の幅よりも広い。【選択図】図２
2018068906.tif 000002
【特許請求の範囲】
【請求項１】
設置面の上に他の什器と隣接して設置される配線収容什器において、
略水平方向に延在し、内部に配線ケーブルを収容する収容部材と、
前記収容部材の両端部をそれぞれ支持する端部部材と、を備え、
前記端部部材における前記収容部材と接続される面の幅は、前記収容部材における前記端部部材と接続される面の幅よりも広いことを特徴とする配線収容什器。
【請求項２】
前記端部部材の外側面に端部カバー部材が配設されており、
前記端部カバー部材における前記端部部材に対する取付面の幅は、前記収容部材における前記端部部材と接続される面の幅よりも広い請求項１に記載の配線収容什器。
【請求項３】
前記収容部材における延在方向の途中位置に、鉛直方向に延在する棒状部材を接続可能な第１接続部が設けられている請求項１または２に記載の配線収容什器。
【請求項４】
前記第１接続部は、前記収容部材の延在方向に離間して複数設けられている請求項３に記載の配線収容什器。
【請求項５】
前記収容部材の上方に、前記収容部材の延在方向に沿って延在し、両端部にそれぞれ前記端部部材が接続された連結部材を備え、
前記連結部材における延在方向の途中位置に、前記第１接続部に接続される前記棒状部材の水平位置を位置決めする上方位置規制部が設けられている請求項３または４に記載の配線収容什器。
【請求項６】
前記収容部材の上方に、前記収容部材の延在方向に沿って延在し、両端部にそれぞれ前記端部部材が接続された連結部材と、
前記連結部材における延在方向の途中位置に、略鉛直方向に延在する棒状部材を接続可能な第２接続部が設けられ、
前記収容部材における延在方向の途中位置に、前記第２接続部に接続される前記棒状部材の水平位置を位置決めする下方位置規制部が設けられている請求項１または２に記載の配線収容什器。
【請求項７】
前記端部部材同士の間の空間の上方を覆う上部カバー部材を備え、
前記上方位置規制部は、前記上部カバー部材を避けた位置に配置されている請求項５に記載の配線収容什器。
【請求項８】
前記端部部材同士の間の空間の上方を覆う上部カバー部材を備え、
前記下方位置規制部は、前記上部カバー部材を避けた位置に配置されている請求項６に記載の配線収容什器。
【請求項９】
前記上部カバー部材に開口部が設けられている請求項７または８に記載の配線収容什器。
【請求項１０】
前記端部部材に支持脚が設けられている請求項１〜９のうちのいずれか１項に記載の配線収容什器。
【発明の詳細な説明】
【技術分野】
【０００１】
本発明は、内部に配線ケーブルを収容する配線収容部を有し、床面などの設置面の上に棚や机などの他の什器と隣接して設置される配線収容什器に関する。
【背景技術】
【０００２】
内部に配線ケーブルを収容する配線収容部を有する配線収容什器として、床面などの設置面の上に机や間仕切りパネルなどの他の什器と隣接して設置されるものが知られている（例えば、特許文献１参照）。このような配線収容什器は、他の什器と隣接していることにより一体感が増して意匠性を向上させることができるとともに、限られたスペースであっても他の什器とともに効率よく配置することができる。
【０００３】
また、特許文献１に開示された配線収容什器は、上部に嵌合孔が形成されており、この嵌合孔に机の脚杆の一部や間仕切りパネルの脚杆の一部を嵌合させている。こうして、机や間仕切りパネルの荷重の一部を配線収容什器が負担するように構成されている。
【先行技術文献】
【特許文献】
【０００４】
【特許文献１】特開２００４−１６２２７１号公報
【発明の概要】
【発明が解決しようとする課題】
【０００５】
しかしながら、配線収容什器を他の什器の荷重の一部を負担する構成とする場合、配線収容什器を他の什器の荷重の一部を負担可能な強度に製作する必要がある。このため、配線収容什器を構成する部材が大きくなり、配線収容什器全体の小型化が困難であるとともに、製作コストが高くなるという問題がある。
【０００６】
この問題に対し、他の什器の脚部を直接床面に設置すれば床面が他の什器の荷重を負担することになり、配線用什器を他の什器の荷重の一部を負担可能な強度に製作する必要はなくなる。ところが、配線収容什器と他の什器とを設置するために、広いスペースを確保する必要が生じるとともに、配線収容什器と他の什器との一体感がなく意匠性が悪くなってしまう虞がある。
【０００７】
そこで、本発明の課題は、配線収容什器と他の什器を設置するためのスペースが広くなることを抑制できるとともに、配線収容什器の小型化および製作コストの削減を図ることができ、意匠性も向上させることができる配線収容什器を提供することである。
【課題を解決するための手段】
【０００８】
上記課題を解決した本発明に係る配線収容什器は、設置面の上に他の什器と隣接して設置される配線収容什器において、略水平方向に延在し、内部に配線ケーブルを収容する収容部材と、前記収容部材の両端部をそれぞれ支持する端部部材と、を備え、前記端部部材における前記収容部材と接続される面の幅は、前記収容部材における前記端部部材と接続される面の幅よりも広いことを特徴とする。
【０００９】
本発明に係る配線収容什器においては、端部部材における収容部材と接続される面の幅は、収容部材における端部部材と接続される面の幅よりも広くされている。このため、配線収容什器を設置するスペースの内側、具体的には、収容部材の側方であって、収容部材の両端部をそれぞれ支持する端部部材の間に他の什器のたとえば脚部を配置することができる。したがって、配線収容什器と他の什器を設置するためのスペースが広くなることを抑制できる。また、他の什器の荷重を負担する必要もないので、配線収容什器の小型化および製作コストの削減を図ることができる。さらには、他の什器の脚部が収容部材の両端部をそれぞれ支持する端部部材の間に配置されるので、他の什器の脚部の露出を抑制することができ、意匠性も向上させることができる。
【００１０】
また、本発明に係る配線収容什器では、前記端部部材の外側面に端部カバー部材が配設されており、前記端部カバー部材における前記端部部材に対する取付面の幅は、前記収容部材における前記端部部材と接続される面の幅よりも広いことが好ましい。
【００１１】
このように構成されていることにより、端部カバー部材によって収容部材における端部部材に接続される面や収容部材の側方部分が隠される。このため、意匠性をさらに向上させることができる。
【００１２】
また、本発明に係る配線収容什器では、前記収容部材における延在方向の途中位置に、鉛直方向に延在する棒状部材を接続可能な第１接続部が設けられていることが好ましい。
【００１３】
このように構成されていることにより、例えば他の什器の脚部が棒状部材であることにより、配線収容什器と他の什器との位置ずれを抑制することができる。また、配線収容什器と他の什器との全体としての構造を強固なものとすることができる。
【００１４】
また、本発明に係る配線収容什器では、前記第１接続部は、前記収容部材の延在方向に離間して複数設けられていることが好ましい。
【００１５】
このように構成されていることにより、例えば他の什器の脚部が棒状部材であることにより、配線収容什器に対する種々の位置に他の什器を配置した際でも、配線収容什器と他の什器との位置ずれを抑制することができる。このため、配線収容什器に対する他の什器の配置位置の自由度を高くすることができる。
【００１６】
また、本発明に係る配線収容什器では、前記収容部材の上方に、前記収容部材の延在方向に沿って延在し、両端部にそれぞれ前記端部部材が接続された連結部材を備え、前記連結部材における延在方向の途中位置に、前記第１接続部に接続される前記棒状部材の水平位置を位置決めする上方位置規制部が設けられていることが好ましい。
【００１７】
このように構成されていることにより、棒状部材が第１接続部で接続されるとともに、上方位置規制部でも棒状部材の配置位置を決めるため、配線収容什器に対する棒状部材の傾斜を抑制することができる。また、第１接続部で接続される棒状部材が上方位置規制部で位置決めされるので、第１接続部を回転中心とする棒状部材の回転を抑制することができる。
【００１８】
また、本発明に係る配線収容什器では、前記収容部材の上方に、前記収容部材の延在方向に沿って延在し、両端部にそれぞれ前記端部部材が接続された連結部材と、前記連結部材における延在方向の途中位置に、略鉛直方向に延在する棒状部材を接続可能な第２接続部が設けられ、前記収容部材における延在方向の途中位置に、前記第２接続部に接続される前記棒状部材の水平位置を位置決めする下方位置規制部が設けられていることが好ましい。
【００１９】
このように構成されていることにより、棒状部材が第２接続部で接続されるとともに、下方位置規制部でも棒状部材の配置位置を決めるため、配線収容什器に対する棒状部材の傾斜を抑制することができる。また、第２接続部で接続される棒状部材が下方位置規制部で位置決めされるので、第２接続部を回転中心とする棒状部材の回転を抑制することができる。
【００２０】
また、本発明に係る配線収容什器では、前記端部部材同士の間の空間の上方を覆う上部カバー部材を備え、前記上方位置規制部は、前記上部カバー部材を避けた位置に配置されていることが好ましい。
【００２１】
このように構成されていることにより、上部カバー部材は、連結部材と端部部材とによって支持されるので、上部カバー部材を安定して設置することができる。また、上方位置規制部は、上部カバー部材を避けた位置にあるので、上部カバー部材を取り外すことなく棒状部材を上方位置規制部に挿通させることができる。その結果、配線収容什器と他の什器とを容易に接続することができる。
【００２２】
また、本発明に係る配線収容什器では、前記端部部材同士の間の空間の上方を覆う上部カバー部材を備え、前記下方位置規制部は、前記上部カバー部材を避けた位置に配置されていることが好ましい。
【００２３】
このように構成されていることにより、上部カバー部材は、連結部材と端部部材とによって支持されるので、上部カバー部材を安定して設置することができる。また、上方位置規制部は、上部カバー部材を避けた位置にあるので、上部カバー部材を取り外すことなく棒状部材を下方位置規制部に挿通させることができる。その結果、配線収容什器と他の什器とを容易に接続することができる。
【００２４】
また、本発明に係る配線収容什器では、前記上部カバー部材に開口部が設けられていることが好ましい。
【００２５】
このように構成されていることにより、上部カバー部材を外すことなく、開口部を通して配線の取出しが可能となるようにすることができる。
【００２６】
また、本発明に係る配線収容什器では、前記端部部材に支持脚が設けられていることが好ましい。
【００２７】
このように構成されていることにより、端部部材の支持脚が設置面に接することになり、配線収容什器の下で２つの端部部材の間に空間を設けることが可能となる。この空間にテーブルなどの他の什器の脚端部を配置することができるので、他の什器の配置位置の制約を小さくすることができ、配線収容什器と組み合わせ可能な什器が多彩なものとすることができる。
【発明の効果】
【００２８】
本発明によれば、配線収容什器と他の什器を設置するためのスペースが広くなることを抑制できるとともに、配線収容什器の小型化および製作コストの削減を図ることができ、意匠性も向上させることができる。
【図面の簡単な説明】
【００２９】
【図１】本発明に係る配線収容什器の斜視図である。
【図２】配線収容什器の分解斜視図である。
【図３】配線収容什器の平面図である。
【図４】図３のＡ−Ａ線断面図である。
【図５】配線収容什器を側面して分解した図である。
【図６】配線収容什器に台座の脚部を取り付けた状態の斜視図である。
【図７】配線収容什器に台座の脚部を取り付けた状態の要部側面図である。
【図８】配線収容什器に取り付けた台座に棚を設けた状態の斜視図である。
【図９】配線収容什器の他の使用例を示す斜視図である。
【図１０】配線収容什器のさらに他の使用例を示す斜視図である。
【発明を実施するための形態】
【００３０】
以下、本発明の実施形態による配線収容什器について説明する。図１は、本発明に係る配線収容什器の斜視図、図２は、配線収容什器の分解斜視図、図３は、配線収容什器の平面図、図４は、図３のＡ−Ａ線断面図である。図１及び図２に示すように、配線収容什器１は、収容部材１０を備えている。収容部材１０は、長尺状をなしており、上方が開口している。収容部材１０は、水平方向に延在している。なお、収容部材１０の延在方向を左右方向といい、水平面上における左右方向に直交する方向を前後方向という。
【００３１】
収容部材１０の一端部（左端部）には、左端部部材２０が設けられ、収容部材１０の他端部（右端部）には、右端部部材３０が設けられている左端部部材２０及び右端部部材３０は、互いに対称形状をなしている。左端部部材２０及び右端部部材３０は、収容部材１０の長手方向略中央位置を通過する面を対称面として面対称となるように配置されている。
【００３２】
収容部材１０は、左端部部材２０及び右端部部材３０の下方における前後方向略中央位置に接続されている。また、左端部部材２０及び右端部部材３０の上方における前後方向略中央位置には、連結部材４０が接続されている。連結部材４０は、上方が開口し、左右方向に延在しており、左端部部材２０と右端部部材３０とを連結している。また、連結部材４０の左右方向の長さは、収容部材１０の左右方向の長さと略同一とされている。
【００３３】
収容部材１０及び連結部材４０の前側には、前方上部カバー部材５０が設けられており、収容部材１０及び連結部材４０の後側には、後方上部カバー部材６０が設けられている。前方上部カバー部材５０及び後方上部カバー部材６０は、互いに対称形状をなしており、収容部材１０の前後方向略中央の軸を通過する面を対称面として面対称となるように配置されている。前方上部カバー部材５０及び後方上部カバー部材６０は、左端部部材２０及び右端部部材３０の間の空間の上方を覆っている。
【００３４】
また、左端部部材２０の外側（左側）には、端部カバー部材７０が取り付けられている。右端部部材３０の外側（右側）にも端部カバー部材が取り付け可能であるが、本形態では、右端部部材３０の外側における端部カバー部材は取り付けられていない状態を示している。図４に示すように、端部カバー部材７０の左端部部材２０に対する取付面の前後方向の幅Ｄ１は、収容部材１０の幅（収容部材１０における左端部部材２０と接続される面の前後方向の幅）Ｄ２よりも広くされている。
【００３５】
連結部材４０の上方には、センターカバー部材８０が設けられている。センターカバー部材８０の左右方向の長さは、連結部材４０の左右方向の長さと略同一とされている。センターカバー部材８０の前後方向の幅Ｄ３は、連結部材４０の開口部の長さより長く、前後方向の最大幅Ｄ４よりも短くされている。連結部材４０の上方の開口は、センターカバー部材８０によって閉塞されている。
【００３６】
前方上部カバー部材５０、後方上部カバー部材６０及びセンターカバー部材８０が収容部材１０、左端部部材２０、右端部部材３０、連結部材４０に取り付けられた際、図３に示すように、前方上部カバー部材５０とセンターカバー部材８０との間、及び後方上部カバー部材６０とセンターカバー部材８０との間にそれぞれ隙間が形成される。これらの隙間を介して、配線収容什器１を上方から覗いたときに、連結部材４０の一部が視認可能となっている。
【００３７】
収容部材１０は、図４に示すように、収容部本体１１を備えている。この収容部本体１１の内部に図示しない配線ケーブルが収容されている。収容部本体１１は、前板部１１Ａ、下板部１１Ｂ、後板部１１Ｃを備えている。前板部１１Ａ及び後板部１１Ｃのそれぞれの下端辺の間に下板部１１Ｂが設けられている。
【００３８】
前板部１１Ａの上端部には、後向折曲部１１Ｄが設けられ、後向折曲部１１Ｄの後端部は、前側下向折曲部１１Ｅとされている。前側下向折曲部１１Ｅの下端部は、前向折返部１１Ｆとされている。後板部１１Ｃの上端部には、前向折曲部１１Ｇが設けられ、前向折曲部１１Ｇの前端部は、後側下向折曲部１１Ｈとされている。後側下向折曲部１１Ｈの下端部は、後向折返部１１Ｉとされている。こうして、収容部本体１１はケーブルダクトとして構成されている。収容部本体１１は、例えば折り曲げ加工によって一体的に形成されている。
【００３９】
収容部本体１１の前板部１１Ａにおける収容部本体１１の延在方向の途中位置には、複数の下部接続孔１２が設けられている。これらの複数の下部接続孔１２は、左右方向に沿って略等間隔で離間して配置されている。また、収容部本体１１における後板部１１Ｃにも同様に複数の下部接続孔１２が設けられている。
【００４０】
収容部本体１１における後向折曲部１１Ｄには、ナット取付部１３が設けられている。ナット取付部１３は、後向折曲部１１Ｄに複数設けられており、複数のナット取付部１３は、左右方向に沿って略等間隔で離間して配置されている。また、収容部本体１１における前向折曲部１１Ｇにも同様に複数のナット取付部１３が設けられている。隣り合うナット取付部１３の離間距離は、隣り合う下部接続孔１２の離間距離と同一とされている。また、複数の下部接続孔１２とナット取付部１３とは、左右方向に同一の位置に配置されている。
【００４１】
収容部本体１１の左端部には、整理板１４が設けられている。整理板１４には、複数の孔部が形成されており、これらの孔部に配線を挿通させることによって、収容部本体１１に収容される配線ケーブルをまとめたり整理したりするようにしている。また、図示はしないが、収容部本体１１の右端部にも同様の整理板が設けられている。
【００４２】
左端部部材２０は、平板状の左端部板材２１を備えている。左端部板材２１は、略上下方向を向いた短片と前後方向を向いた長辺とを備えており、短辺は、長辺よりもやや短い正方形に近い長方形をなしている。左端部部材２０の前後方向の幅Ｄ５は、収容部材１０における左端部部材２０と接続される面の前後方向の幅Ｄ２よりも広くされている。左端部板材２１の前側及び後ろ側には、それぞれ貫通孔２２が設けられている。２つの貫通孔はいずれも同じ形状をなしており、長方形状を成しており、その短辺は、左端部板材２１における短辺の半分の長さよりも短く長辺よりもやや短い長さを有している。
【００４３】
左端部部材２０における前側側面の上方部及び下方部には、それぞれスリット２３が設けられている。また、左端部部材２０における後側側面の上方部及び下方部も、同様のスリットが設けられている。さらに、左端部部材２０における下側面の前部及び後部には、それぞれ支持脚２４が設けられている。支持脚２４には、アジャスタが設けられており、左端部部材２０の高さ調整が可能となるようにされている。
【００４４】
また、左端部板材２１における前後方向略中央位置の上部及び下部には、それぞれ取付貫通孔２５が設けられている。取付貫通孔２５は、左端部板材２１を貫通して設けられている。また、左端部部材２０における上側面２６の前後方向略中央位置の左端部（外側端部）には、挿入孔が設けられている。左端部部材２０の中央上方位置には、端部突出部２７が設けられている。
【００４５】
配線収容什器１は単独で使用したり、並設して使用したりすることがあり、単独で使用する場合等には、左端部部材２０及び右端部部材３０のそれぞれに端部カバー部材７０が取り付けられる。また、配線収容什器１を並設して使用する場合には、左端部部材２０及び右端部部材３０のうち、隣り合う配線収容什器１が配置される側には、端部カバー部材７０を取り付けることなく、一方の配線収容什器１の左端部部材２０と他方の配線収容什器１の右端部部材３０とを接続する。このとき、取付貫通孔２５にボルトナットが締め付けられて、隣り合う配線収容什器１が固定される。また、配線収容什器１同士の間では、貫通孔２２，３２を通して、配線が設けられる。
【００４６】
右端部部材３０は、左端部部材２０の左端部板材２１と同様の右端部板材３１を備えている。右端部板材３１には、左端部板材２１の貫通孔２２、スリット２３、支持脚２４、取付貫通孔２５、上側面２６、及び端部突出部２７と同様の貫通孔３２、スリット３３、支持脚３４、取付貫通孔３５、上側面３６、及び端部突出部３７が設けられている。右端部部材３０の前後方向の幅Ｄ５は、収容部材１０における右端部部材３０と接続される面の前後方向の幅Ｄ２よりも広くされている。また、左端部部材２０及び右端部部材３０は、収容部材１０の両端部をそれぞれ支持している。
【００４７】
連結部材４０は、連結部材本体４１を備えている。連結部材本体４１は、図４に示すように、上方が開口する略コ字形状をなしている。連結部材本体４１における前側上端辺には、図２に示すように、それぞれ前方に突出する突出片４２が複数設けられている。突出片の先端部には、立ち上がり部４２Ａが形成されている。複数の突出片４２は、左右方向に沿って略等間隔で配置されている。連結部材本体４１における後側上端辺には、それぞれ後方に突出する突出片４２が複数設けられている。これらの突出片４２も、左右方向に沿って略等間隔で配置されている。
【００４８】
また、連結部材本体４１の前側片における延在方向の途中位置には、それぞれ上部接続孔４３及びナット取付孔４４が設けられている。上部接続孔４３は、連結部材本体４１の前側片の下方部にそれぞれ設けられている。ナット取付孔４４は、上部接続孔４３の上方であって、連結部材本体４１の前側片の上下方向中央よりもやや上側に設けられている。上部接続孔４３及びナット取付孔４４は、連結部材本体４１の前側片に複数設けられており、複数の上部接続孔４３及びナット取付孔４４は、略等間隔で配置されている。連結部材本体４１の後側片にも、同様の上部接続孔４３及びナット取付孔４４が設けられている。
【００４９】
連結部材４０に設けられた隣り合う上部接続孔４３及びナット取付孔４４の離間距離は、収容部材１０に設けられた隣り合う下部接続孔１２の離間距離と同一とされている。また、収容部材１０に設けられた下部接続孔１２及びナット取付部１３と、連結部材４０に設けられた上部接続孔４３及びナット取付孔４４とは、互いに上下方向に沿って略一直線上に配置されている。
【００５０】
また、連結部材本体４１の前側上端辺から突出する複数の突出片４２のうち、隣り合う突出片４２同士の間には、図２に示すように、上方位置規制部４５が設けられている。同様に、連結部材本体４１の後側上端辺から突出する複数の突出片４２のうち、隣り合う突出片４２同士の間にも、上方位置規制部４５が設けられている。上方位置規制部４５は、収容部材１０に設けられた下部接続孔１２及びナット取付部１３と、連結部材４０に設けられた上部接続孔４３及びナット取付孔４４とともに、互いに上下方向に沿って略一直線上に配置されている。
【００５１】
連結部材４０の左側端部には、上方整理板４６が設けられている。連結部材４０は、断面略コ字形状であるため、ここにも配線ケーブルを収容することができる。連結部材４０に配線ケーブルを収容する際には上方整理板４６によって配線ケーブルを整理することができる。なお、連結部材４０には、配線ケーブルを収容しないようにしてもよい。
【００５２】
連結部材４０における突出片４２は、平面視して、前方上部カバー部材５０及び後方上部カバー部材６０を避けた位置に配置されている。このため、配線収容什器１を上方から覗いたときには、連結部材４０における突出片４２が視認可能とされている。また、突出片４２の間における上方位置規制部４５も視認可能とされている。このため、配線収容什器１を上方から覗いたときには、上方位置規制部４５を介して、配線収容什器１が設置されている設置面である床面Ｒ（図７参照）が視認可能とされている。
【００５３】
前方上部カバー部材５０は、前方上部カバー部材本体５１を備えている。前方上部カバー部材本体５１は、前側立設板部５１Ａと、前側平面板部５１Ｂと、を備えている。前側立設板部５１Ａは、収容部材１０及び連結部材４０の前側に配置されている。前側立設板部５１Ａの下端辺は、収容部材１０の下端辺と略同じ高さ位置とされている。前側立設板部５１Ａの上端辺は、連結部材４０の上端辺よりも高い位置とされている。正面側から見た場合、収容部材１０と連結部材４０とは、前側立設板部５１Ａに隠されて外側からは見えないようにされている。
【００５４】
前側平面板部５１Ｂは、前側立設板部５１Ａの上端辺から後方に向けて延在する板状の部材である。前側立設板部５１Ａの下端辺には、前側後向折曲部５１Ｃが設けられ、前側後向折曲部５１Ｃの後端辺には、前側上向折曲部５１Ｄが設けられている。さらに、前側平面板部５１Ｂの後端辺には、前側下向折曲部５１Ｅが設けられ、前側下向折曲部５１Ｅの下端辺には、前側前向折曲部５１Ｆが設けられている。前方上部カバー部材５０は、例えば折り曲げ加工によって一体的に形成されている。
【００５５】
また、前方上部カバー部材５０の左右方向の長さは、収容部材１０及び連結部材４０の左右方向の長さよりも長い。また、前方上部カバー部材５０の左右方向の長さは、収容部材１０及び連結部材４０の左右に左端部部材２０及び右端部部材３０を取り付けたときの長さと略同一である。
【００５６】
前方上部カバー部材５０の前側平面板部５１Ｂには、前側蓋部材５２が取り付けられる前側上方開口部５３が設けられている。図２では、前側蓋部材５２が前側上方開口部５３を閉塞した状態を示している。前側蓋部材５２は、左右方向に沿って離間して複数、本実施形態では３枚配置されている。これらの前側蓋部材５２を取り付け可能となるように、前側平面板部５１Ｂには、複数、本実施形態では３個の前側上方開口部５３が左右方向に沿って離間して設けられている。
【００５７】
前側立設板部５１Ａの左右両端には、それぞれ前側立設端部５４が設けられており、前側平面板部５１Ｂの左右両端には、それぞれ前側平面端部５５が設けられている。前側立設端部５４の後側の面には、図４及び図５に示すように、フック部材５６が設けられている。フック部材５６は、前側立設端部５４の後側の面において、高さ方向に離間して２つ設けられている。前方上部カバー部材５０は、連結部材４０と左端部部材２０と右端部部材３０とによって支持されている。
【００５８】
後方上部カバー部材６０は、前方上部カバー部材５０と対称形をなしており、前方上部カバー部材５０の前方上部カバー部材本体５１（前側立設板部５１Ａ、前側平面板部５１Ｂ）、前側蓋部材５２、前側上方開口部５３、前側立設端部５４、前側平面端部５５、及びフック部材５６と同様の後方上部カバー部材本体６１（後側立設板部６１Ａ、後側平面板部６１Ｂ、後側前向折曲部６１Ｃ、後側上向折曲部６１Ｄ、後側下向折曲部６１Ｅ、後側前向折曲部６１Ｆ）、後側蓋部材６２、後側上方開口部６３、後側立設端部６４、後側平面端部６５、及びフック部材６６を備えている。また、後方上部カバー部材６０は、連結部材４０と左端部部材２０と右端部部材３０とによって支持されている。なお、図２では、後側蓋部材６２が後側上方開口部６３から取り外された状態を示している。
【００５９】
左端部部材２０の外側には、端部カバー部材７０が設けられている。端部カバー部材７０は板状の部材である。端部カバー部材７０における内側の面には、図示しないフックが設けられ、左端部部材２０の外側の面に図示しないスリットが設けられている。このフックがスリットに挿入されて端部カバー部材７０は、左端部部材２０に支持されている。
【００６０】
センターカバー部材８０は、センターカバー部材本体８１を備えている。センターカバー部材本体８１は、図４に示すように、前側板部８１Ａ、上側板部８１Ｂ、後側板部８１Ｃを備えている。前側板部８１Ａ及び後側板部８１Ｃのそれぞれの上端辺の間に上側板部８１Ｂが設けられている。
【００６１】
前側板部８１Ａの下端部には、下側後向折曲部８１Ｄが設けられ、後側板部８１Ｃの下端部には、下側前向折曲部８１Ｅが設けられている。センターカバー部材本体８１は、例えば折り曲げ加工によって一体的に形成されている。また、センターカバー部材８０は、連結部材４０と左端部部材２０と右端部部材３０とによって支持されている。
【００６２】
センターカバー部材本体８１の左側端部の内側（左側）及び右側端部の内側（右側）には、それぞれ蓋部材８２が取り付けられる溝部８３が設けられている。この溝部８３には、センターカバー部材本体８１の上下を貫通する貫通孔が形成されており、この貫通孔に対して配線を挿通可能とされている。また、貫通孔に配線を挿通しない状態では、溝部８３に蓋部材８２を取り付け、溝部８３における貫通孔を閉塞可能とされている。
【００６３】
また、配線収容什器１は、設置面の上に他の什器と隣接して設置される。以下に、配線収容什器１と他の什器との設置関係について説明する。図６は、配線収容什器に台座の脚部を取り付けた状態の斜視図、図７は、配線収容什器に台座の脚部を取り付けた状態の要部側面図、図８は、配線収容什器に取り付けた台座に棚を設けた状態の斜視図である。
【００６４】
設置面の上に他の什器と隣接して設置する際には、図６及び図７に示すように、配線収容什器１に台座９０を設け、台座９０の上に他の什器、例えば図８に示す棚を設けることができる。以下、配線収容什器１と台座９０の関係について説明し、続いて、棚を設けた配線収容什器１について説明する。
【００６５】
図６及び図７に示すように、台座９０は、台座脚部９１を備えている。台座脚部９１は、断面矩形の棒状部材であり、上下方向（鉛直方向）に延在して配置されている。台座９０は、２本の台座脚部９１を備えており、台座脚部９１は、前方上部カバー部材５０における前側蓋部材５２（図１参照）が取り外された前側上方開口部５３を貫通している。また、台座脚部９１の上端部に台座プレート９２が例えば溶接によって固定されている。
【００６６】
台座脚部９１の下端部には、脚部支持脚９３が設けられている。脚部支持脚９３は、床面Ｒに立設されているため、台座脚部９１は、自立している。さらに、脚部支持脚９３には、高さ調整が可能とされたアジャスタが設けられており、台座脚部９１の高さ調整が可能となるようにされている。
【００６７】
台座９０における２本の台座脚部９１のうちの１本は、上方位置規制部４５に収容されている。上方位置規制部４５に収容された台座脚部９１は、図７に示すように、前後方向に見て連結部材の上部接続孔４３及びナット取付孔４４、収容部材１０の下部接続孔１２及びナット取付部１３に重なる位置に配置されている。
【００６８】
台座脚部９１は、ボルト９５によって連結部材４０及び収容部材１０に固定される。このため、連結部材４０のナット取付孔４４及び収容部材１０のナット取付部１３には、それぞれクリップナット９８が取り付けられる。クリップナット９８は、矩形のクリップ部と、クリップ部に取り付けられたナット部とを備えている。ナット取付孔４４は、クリップナット９８のクリップ部の幅と略同一の幅を有しており、クリップナット９８のクリップ部をナット取付孔４４に差し込むことで、クリップナット９８を連結部材４０に取り付けることができる。同様に、ナット取付部１３は、クリップナット９８のクリップ部の幅と略同一の幅を有しており、クリップナット９８のクリップ部をナット取付部１３に差し込むことで、クリップナット９８を収容部材１０に取り付けることができる。
【００６９】
クリップナット９８におけるナット部は、クリップ部をナット取付孔４４に取り付けた際に、上部接続孔４３に対応する位置に設けられている。また、クリップナット９８におけるナット部は、クリップ部をナット取付部１３に取り付けた際に、下部接続孔１２に対応する位置に設けられている。台座脚部９１には、図示しない貫通孔が上部接続孔４３及び下部接続孔１２に対応する位置に設けられており、台座脚部９１の前側から貫通孔を通してクリップナット９８のクリップ部にボルト９５が締め付けられて台座脚部９１が連結部材４０及び収容部材１０に固定されている。クリップナット９８にボルト９５が締め付けられることにより、台座脚部９１の左右方向への移動が規制されている。また、ボルト９５は、上部接続孔４３及び下部接続孔１２をそれぞれ貫通している。ボルト９５が上部接続孔４３及び下部接続孔１２を貫通していることから、台座脚部９１の上下方向への移動が規制されている。
【００７０】
また、台座脚部９１は、連結部材の上方位置規制部４５に配置され、ボルト９５によって連結部材４０及び収容部材１０に固定されている。こうして、上方位置規制部４５は、台座脚部９１の水平位置を位置決めしている。また、台座脚部９１は、上方で位置決めされ、下方で固定されることにより、その左右方向に対する位置決めがなされるとともに、ボルト９５を中心とした回転が抑制されている。
【００７１】
図８に示すように、台座９０には、棚１００が図示しないボルト等によって取り付けられている。棚１００は、前方上部カバー部材５０上に設置されており、背後にはパネル２が立設されている。こうして、配線収容什器１は、棚１００に隣接して設置されている。また、台座９０は、脚部支持脚９３が床面Ｒに自立しているので、棚１００の荷重は、配線収容什器１にほとんどかからないようにされている。
【００７２】
以上の構成を有する本実施形態に係る配線収容什器１においては、左端部部材２０及び右端部部材３０の前後方向の幅Ｄ５は、いずれも収容部材１０における左端部部材２０及び右端部部材３０と接続される面の前後方向の幅Ｄ２よりも広くされている。このため、収容部材１０の側方であって、収容部材１０の両端部をそれぞれ支持する左端部部材２０及び右端部部材３０の間に他の什器のたとえば棚１００を設置する台座９０の台座脚部９１を配置することができる。したがって、配線収容什器１と棚１００などの他の什器を設置するためのスペースが広くなることを抑制できる。また、配線収容什器１は、棚１００の荷重を負担する必要が無いようされている。このため、配線収容什器１の小型化および製作コストの削減を図ることができる。さらには、棚１００を設置する台座９０の台座脚部９１が収容部材１０の両端部をそれぞれ支持する左端部部材２０と右端部部材３０との間に配置されるので、台座脚部９１の露出を抑制することができ、意匠性も向上させることができる。
【００７３】
また、配線収容什器１では、左端部部材２０の外側面に端部カバー部材７０が配設されており、端部カバー部材７０の幅（端部カバー部材７０における左端部部材２０に対する取付面の幅）Ｄ１は、収容部材１０における左端部部材２０と接続される面の幅Ｄ２よりも広くされている。このため、端部カバー部材７０によって収容部材１０における左端部部材２０に接続される面や収容部材１０の側方部分が隠される。このため、意匠性をさらに向上させることができる。
【００７４】
また、配線収容什器１では、収容部材１０における延在方向の途中位置に、鉛直方向に延在する台座脚部９１を接続可能な下部接続孔１２が設けられている。このため、配線収容什器１と棚１００との位置ずれを抑制することができる。また、配線収容什器１と棚１００との全体としての構造を強固なものとすることができる。
【００７５】
また、配線収容什器１では、下部接続孔１２が複数設けられている。このため、配線収容什器１に対する種々の位置に台座脚部９１を配置した際でも、配線収容什器と棚１００との位置ずれを抑制することができる。このため、配線収容什器１に対する棚１００の配置位置の自由度を高くすることができる。
【００７６】
また、配線収容什器１では、収容部材１０の上方に設けられた連結部材４０を備え、連結部材における延在方向の途中位置に、下部接続孔１２に接続される台座脚部９１の水平位置を位置決めする上方位置規制部４５が設けられている。このため、配線収容什器１に対する台座脚部９１の傾斜を抑制することができる。また、下部接続孔１２で接続される台座脚部９１が上方位置規制部４５で位置決めされるので、下部接続孔１２を回転中心とする台座脚部９１の回転を抑制することができる。
【００７７】
なお、上記実施形態では、連結部材４０の上方位置規制部４５を設けているが、連結部材４０の上方位置規制部４５を設ける例に代えて、収容部材１０に下方位置規制部を、上方位置規制部４５が設けられた左右位置を共通として設けてもよい。この場合、配線収容什器１に対する台座脚部９１の傾斜を抑制することができる。また、上部接続孔４３で接続される台座脚部９１が下方位置規制部で位置決めされるので、上部接続孔４３を回転中心とする台座脚部９１の回転を抑制することができる。
【００７８】
また、配線収容什器１では、前方上部カバー部材５０及び後方上部カバー部材６０を避けた位置に上方位置規制部４５が配置されている。このため、前方上部カバー部材５０及び後方上部カバー部材６０を取り外すことなく台座脚部９１を上方位置規制部４５に挿通させることができる。その結果、配線収容什器１と棚１００とを容易に接続することができる。
【００７９】
また、上記のように上方位置規制部４５に代えて、収容部材１０に下方位置規制部材を設けた場合も、前方上部カバー部材５０及び後方上部カバー部材６０を避けた位置に下方位置規制部が配置されていることとなる。このため、前方上部カバー部材５０及び後方上部カバー部材６０を取り外すことなく台座脚部９１を上方位置規制部４５に挿通させることができる。その結果、配線収容什器１と棚１００とを容易に接続することができる。
【００８０】
また、配線収容什器１では、前方上部カバー部材５０及び後方上部カバー部材６０にそれぞれ、前側上方開口部５３及び後側上方開口部６３が設けられている。このため、前方上部カバー部材５０及び後方上部カバー部材６０を外すことなく、前側上方開口部５３または後側上方開口部６３を通して配線の取出しが可能となるようにすることができる。
【００８１】
また、配線収容什器１では、左端部部材２０及び右端部部材３０にそれぞれ支持脚２４，３４が設けられている。このため、左端部部材２０及び右端部部材３０の支持脚２４，３４が設置面に接することになり、配線収容什器１の下で左端部部材２０及び右端部部材３０の間に空間を設けることが可能となる。この空間にテーブルなどの他の什器の脚端部を配置することができるので、他の什器の配置位置の制約を小さくすることができ、配線収容什器１と組み合わせ可能な什器が多彩なものとすることができる。
【００８２】
［配線収容什器と他の什器との組み合わせ例１］
上記の実施形態では、設置面の上に配線収容什器１と棚１００とを隣接して設置する例について説明したが、配線収容什器１と他の什器とを隣接して設置してもよい。以下、その例について説明する。まず、図９を参照して、配線収容什器１と机２００を隣接して設置する例について説明する。
【００８３】
図９は、配線収容什器の他の使用例を示す斜視図である。図９に示すように、配線収容什器１には、２つの机２００，２００が隣接して設置されている。机２００は、天板２０１を備えている。天板２０１の下面右側には、天板２０１を支持する前脚部２０２が取り付けられ、前脚部２０２の下端部には前支持脚２０３が設けられている。また、天板２０１の下面左側には、天板２０１を支持する後脚部２０４が取り付けられ、後脚部２０４の下端部には後支持脚２０５が設けられている。
【００８４】
机２００における前脚部２０２と後脚部２０４とは、配線収容什器１の前後方向に沿って並設されている。机２００の利用者は、例えば配線収容什器１の右側を向くようにして机２００を利用するのが好適となる。
【００８５】
前脚部２０２及び後脚部２０４と配線収容什器１との位置関係を説明すると、前脚部２０２は、後脚部２０４よりも配線収容什器１から遠い位置に配置されている。また、前脚部２０２は、配線収容什器１の外側に配置されているが、後脚部２０４は、配線収容什器１の内側に配置されている。このため、前支持脚２０３は配線収容什器１の外側に配置され、後支持脚２０５は配線収容什器１の内側に配置されている。
【００８６】
配線収容什器１の左側端部近傍及び右側端部近傍にそれぞれ机２００が設置されている。また、配線収容什器１の後側には、衝立２２０が立設され、配線収容什器１の左右方向略中央位置には、棚２３０が立設されている。このうちの衝立２２０は、配線収容什器１の前方上部カバー部材５０の上に立設されている。また、棚２３０は、上記の実施形態における台座９０と同様の図示しない台座の上に設けられている。このため、衝立２２０の荷重は配線収容什器１にかかるが、棚２３０の荷重は配線収容什器１にはほとんどかからないようにされている。また、机２００は、前脚部２０２及び後脚部２０４によって自立している。このため、机２００の荷重は、配線収容什器１にはほとんどかからないようにされている。なお、衝立２２０についても、自立するようにしてもよい。
【００８７】
また、机２００の後脚部２０４は、配線収容什器１の前方上部カバー部材５０における上面に設けられた前側上方開口部５３（図１参照）を貫通している。また、前側上方開口部５３を塞ぐ前側蓋部材５２は取り外されている。配線収容什器１の前方上部カバー部材５０には、３つの前側上方開口部５３が設けられているが、このうちの左右それぞれの前側上方開口部５３に机２００の後脚部２０４が貫通し、左右方向中央の前側上方開口部５３には、机２００の後脚部２０４が貫通しておらず、この前側上方開口部５３は、前側蓋部材５２で塞がれている。
【００８８】
この組み合わせ例における配線収容什器１では、前側上方開口部５３に机２００の後脚部２０４が貫通して設けられている。このように、配線収容什器１では、上方位置規制部４５を通過する棒状部材のほか、前側上方開口部５３または後側上方開口部６３（図１参照）を貫通する棒状部材を配置することもできる。したがって、配線収容什器１に隣接される什器をさらに多彩にすることができる。
【００８９】
［配線収容什器と他の什器との組み合わせ例２］
さらに、図１０を参照して、配線収容什器１と、コンセント付トレー３００を隣接して設置する例について説明する。図１０は、配線収容什器のさらに他の使用例を示す斜視図である。図１０に示すように、配線収容什器１には、コンセント付トレー３００が隣接して設置されている。
【００９０】
コンセント付トレー３００は、載置台３０１を備えている。載置台３０１は、２枚の板材を有する２段構造をなしており、上段には、コンセント４００が設けられている。また、下段には、スマートフォンなどの小物を載置可能とされている。載置台３０１の後方には、背面板３０２が設けられている。背面板３０２は、左右方向に沿って設置されており、背面板３０２の左右の下端部には、それぞれ左脚部３０４及び右脚部３０５が設けられている。左脚部３０４及び右脚部３０５は、いずれも棒状部材であり、連結部材４０に設けられた上方位置規制部４５を貫通している。また、左脚部３０４及び右脚部３０５は、いずれも連結部材４０の上部接続孔４３及び収容部材１０の下部接続孔１２に対してボルトによって固定されている。
【００９１】
この組み合わせ例における配線収容什器１では、コンセント付トレー３００の左脚部３０４及び右脚部３０５が上記の実施形態における台座脚部９１と同様に取り付けられている。このため、台座脚部９１と同様に、上下左右の位置決めを好適に行うことができるとともに、傾斜や回転を抑制することができる。
【００９２】
また、コンセント付トレー３００なども設置できるようにすることで、配線収容什器１に隣接される什器をさらに多彩にすることができる。なお、この例では、コンセント付トレー３００は軽量であり、コンセント付トレー３００に載置されるものも軽量のものを想定しているため、左脚部３０４及び右脚部３０５を収容部材１０及び連結部材４０に固定してその荷重を受けるようにしているが、左脚部３０４及び右脚部３０５が自立式であるようにしてもよい。
【００９３】
以上、本発明による配線収容部の実施形態について説明したが、本発明は上記の実施形態に限定されるものではなく、その趣旨を逸脱しない範囲で適宜変更可能である。例えば、上記実施形態では、連結部材４０に上方位置規制部４５が設けられているが、収容部材１０に下方位置規制部を設けるようにしてもよい。この場合、平面視して上方位置規制部４５が設けられた位置と同様の位置に下方位置規制部を設けるのが好適である。
【００９４】
また、上記実施形態では、上方位置規制部４５、下部接続孔１２、上部接続孔４３等を複数設けているが、これらは１つのみであってもよい。また、台座脚部９１を取り付けるためのクリップナット９８を用いているが、連結部材４０や収容部材１０に直接ナットやネジ孔等を設けるようにしてもよい。
【００９５】
また、上記実施形態では、上方位置規制部４５に棒状部材を設けるようにしているが、上方位置規制部４５に配管などを通すようにしてもよい。また、配線ケーブルを通過させる空間として利用してもよい。
【符号の説明】
【００９６】
１  配線収容什器
１０  収容部材
１２  下部接続孔（第１接続部）
２０  左端部部材（端部部材）
２４  支持脚
３０  右端部部材（端部部材）
３４  支持脚
４０  連結部材
４２  突出片
４３  上部接続孔（第２接続部）
４４  ナット取付孔
４５  上方位置規制部
５０  前方上部カバー部材（上部カバー部材）
５２  前側蓋部材
５３  前側上方開口部（開口部）
６０  後方上部カバー部材（上部カバー部材）
６２  後側蓋部材
６３  後側上方開口部
８０  センターカバー部材
９１  台座脚部（棒状部材）
９８  クリップナット
１００  棚（他の什器）
２００  机（他の什器）
３００  コンセント付トレー
Ｒ  床面（設置面）
Ｄ１  端部カバー部材の幅
Ｄ２  収容部材の幅
Ｄ５  右端部部材（左端部部材）の幅
【図１】
2018068906.tif 000003
【図２】
2018068906.tif 000004
【図３】
2018068906.tif 000005
【図４】
2018068906.tif 000006
【図５】
2018068906.tif 000007
【図６】
2018068906.tif 000008
【図７】
2018068906.tif 000009
【図８】
2018068906.tif 000010
【図９】
2018068906.tif 000011
【図１０】
2018068906.tif 000012